(57)【要約】【課題】レリーズボタンと別に設けられたＡＥロックボタン等によるＡＥＬをかけた状態でも露出補正設定を可能とするとともにこの露出補正設定をＡＥロックされたＶＦ表示に反映させることができるディジタルカメラの露出制御システムを提供する。【解決手段】被写体からの光１はＣＣＤ４に撮像され、タイミングジェネレータ１３の制御の下に電荷の蓄積制御が行われる。このデータは所定の処理がなされた後、保存され、測光データが抽出され制御部１７は露出補正された場合、その目標値との差分を算出しＶＦ用の露出演算を行い、その演算結果が電子ビューファインダ２０に反映される。ＡＥＬロックされた後に、露出補正された場合、その差分を加味してＶＦ用露出演算を行う。レリーズオンになった場合、最新のＶＦ用露出演算に基づく露出条件より記録時の露出演算を行って露出条件であるシャッタ速度と絞りを決定し、撮影動作を行う。【選択図】        図２
2004153535.tif 000002
【特許請求の範囲】
【請求項１】
被写体像の光束を受光し入射光量に応じた電気信号に変換する撮像素子と、撮像素子からの電気信号をディジタルデータに変換する変換手段と、撮像素子における電荷蓄積を制御する露光制御手段と、前記ディジタルデータを用いて、次回の入射光量に応じたディジタルデータが所定の目標値になるように、前記露光制御手段の制御条件を演算する演算手段と、露出補正値を設定する手段と、撮影時の露光条件を固定するためのＡＥロック設定手段とを有するディジタルカメラの露出制御システムにおいて、
撮影時の露光条件１は、撮影時の露出補正値１とＡＥロック時の露出補正値２との差を、ＡＥロック時の露光条件２に加味して演算することを特徴とするディジタルカメラの露出制御システム。
【請求項２】
撮像素子に露光した被写体像を繰り返し表示する電子ビューファインダを有し、
ＡＥロック中は、ＡＥロック時に決定した電子ビューファインダ用の露光条件で露光および表示を繰り返し、
ＡＥロック中に露出補正値を変更された場合は、変更前の露出補正値と変更後の露出補正値との差だけ前記電子ビューファインダ用の露光条件をシフトさせることを特徴とする請求項１記載のディジタルカメラの露出制御システム。
【請求項３】
前記露光条件は、シャッタ速度，絞りまたは増幅度で設定されることを特徴とする請求項１または２記載のディジタルカメラの露出制御システム。
【発明の詳細な説明】
【０００１】
【発明の属する技術分野】
本発明は、ディジタルカメラの露出制御システムに関する。
本発明で用いる「ディジタルカメラ」とは、光学像を撮像素子で取り込み、その画像をディジタルデータに変換して処理する機能を持つカメラ装置であり、例えば、「ディジタルスチルカメラ」，「ディジタルビデオカメラ」や「携帯通信装置，携帯情報端末などに付設したり，内蔵したりするディジタルカメラ機能部」等が該当する。
【０００２】
【従来の技術】
レリーズボタンを半押しすることにより、ＡＦ制御を開始するタイプのカメラでは、ＡＦ制御を行った後、同時にＡＥロックを行うものが一般的である。すなわち、レリーズボタン半押し状態でシャッタ速度および絞り値を固定するものである。
また、ＡＦロックボタンを別個に備えるタイプのカメラでは、該ＡＦロックボタンを押すことによりＡＦロックを掛け、同時にＡＥロックを行うものがある。前者の場合は一旦、レリーズボタンを離すと、そのＡＦ値はキャンセルされ、再度のＡＦ制御が可能となる。後者の場合は、一旦、ＡＦおよびＡＥロックをオンすると、ＡＦ（ＡＥ）ロックボタンから指を離してもロック状態が継続する。
【０００３】
【発明が解決しようとする課題】
ところで、フィードバック式自動露出制御システムを用いたディジタルカメラでは、露出補正が行われた場合、露出制御の目標値をずらし、フィードバックにより制御を行い、目標値になるまで追い込み動作を繰り返すことによりＶＦ（ビューファインダ）の表示に反映させることを可能にしている。
上記のようにＡＥロックをして撮影を行う場合、上記フィードバックによる露出制御では、ＡＥロック後は露出補正制御が行えない。そのため、ＡＥロックした場合にはその後の露出補正設定は禁止するか、または露出補正設定変更時にＡＥロックを解除するという方法が考えられる。
しかしながら、両者の方法とも、ＡＥロックした後に露出補正設定により、ＶＦで確認しながら露光条件を微調整して所望の露光条件を選択することが不可能である。
【０００４】
なお、測光センサにより露出値を演算する銀塩カメラまたは一眼レフ形ディジタルカメラでは、時々刻々と変化する被写体の明るさにＶＦ表示を対応させる必要がないため、露出補正を行う場合、ＡＥロックした後でも上述のディジタルカメラのような問題の発生はない。
本発明の目的は、レリーズボタンと別に設けられたＡＥロックボタン等によるＡＥＬをかけた状態でも露出補正設定を可能とするとともにこの露出補正設定をＡＥロックされたＶＦ表示に反映させることにより上述の問題を解決したディジタルカメラの露出制御システムを提供することにある。
【０００５】
【課題を解決するための手段】
前記目的を達成するために本発明によるディジタルカメラの露出制御システムは、被写体像の光束を受光し入射光量に応じた電気信号に変換する撮像素子と、撮像素子からの電気信号をディジタルデータに変換する変換手段と、撮像素子における電荷蓄積を制御する露光制御手段と、前記ディジタルデータを用いて、次回の入射光量に応じたディジタルデータが所定の目標値になるように、前記露光制御手段の制御条件を演算する演算手段と、露出補正値を設定する手段と、撮影時の露光条件を固定するためのＡＥロック設定手段とを有するディジタルカメラの露出制御システムにおいて、撮影時の露光条件１は、撮影時の露出補正値１とＡＥロック時の露出補正値２との差を、ＡＥロック時の露光条件２に加味して演算するように構成されている。
本発明は上記構成において撮像素子に露光した被写体像を繰り返し表示する電子ビューファインダを有し、ＡＥロック中は、ＡＥロック時に決定した電子ビューファインダ用の露光条件で露光および表示を繰り返し、ＡＥロック中に露出補正値を変更された場合は、変更前の露出補正値と変更後の露出補正値との差だけ前記電子ビューファインダ用の露光条件をシフトさせるように構成されている。すなわち、本発明はレリーズＯＮ時にはＡＥロック時に記憶しておいた露出補正値とレリーズＯＮ時の露出補正値の差分だけ測光値をずらして記録時の露出条件を演算し、露光を行う。そして、ＡＥロック中に露出補正設定が変化した場合は、記憶しておいた露出補正値との差分を計算し、その差分だけ露光条件をずらすことによってＶＦ表示に反映させるようにしている。
また、露出条件はシャッタ速度，絞りまたは増幅度により設定される。
【０００６】
【発明の実施の形態】
以下、図面を参照して本発明の実施の形態を詳しく説明する。
図１は、本発明による露出制御システムを適用したディジタルカメラの外観を示す斜視図である。本図は本発明に関連する部分の操作部などを表示したものである。
ディジタルカメラ２４の上面にはレリーズＳＷ１８およびＡＥロックボタン２１が設置されている。背面中央左寄りにはＬＣＤなどの電子ビューファインダ２０が配置されており、中央付近には露出値を補正するための各種設定ＳＷ２３が設けられている。各種設定ＳＷ２３は中央の決定ボタン２５および上下左右の選択ボタン２３ａ，２３ｂ，２３ｃおよび２３ｄより構成されている。
【０００７】
図示しないモード切替レバーが撮影モードに切り替えられていることにより撮影が可能となり、図示しないメニューボタンを押すことにより電子ビューファインダ２０にメニューアイコンが表示される。この画面で左右の選択ボタン２３ａ，２３ｂで露出補正を選択し、決定ボタン２５で確定させる。上下の選択ボタン２３ｃ，２３ｄにより具体的な露出補正値を選ぶことができ、決定ボタン２５により確定させることができる。露出補正値は例えば０，±０．５，±１．０というように０．５間隔で選択することができる。
【０００８】
図２は、本発明によるディジタルカメラの露出制御システムの回路の実施の形態を示すブロック図である。本図は本発明に直接関連する回路，操作部のみを書き出したもので、ＡＦ制御に関する回路部分，レリーズＳＷ，ＡＥＬ  ＳＷ，露出補正設定手段以外の操作部分，その他の操作部により動作する回路部分などは省略してある。また、各回路間の信号線も本発明に関連する信号のみを取り出したものである。
図示しない被写体からの光１は、レンズ２，絞り３を介し固体撮像素子であるＣＣＤ４の上に結像される。ＣＣＤ４はタイミングジェネレータ１３からのタイミング信号により入射する被写体光を走査して１画面の光像（１垂直走査期間Ｖで走査される光像）を電気信号として蓄積し、１画面分を蓄積した後、画像信号の転送を行う。ＣＣＤ４はタイミングジェネレータ１３からのタイミング信号により上記動作を繰り返す。
【０００９】
ＣＣＤ４から送られてくる画像信号は相関２重サンプリング回路５によりサンプリング処理が行われ、その後にＡＭＰ６で増幅される。
ＤＳＣＰ１６ではクランプ回路７によりクランプ処理された後、ＡＤ変換器８によりディジタル信号に変換される。信号処理部９では画像信号は所定形式に処理されて一時的にＳＤＲＡＭ１０に蓄積される。画像信号からは測光データ１１が抽出されて露出制御手段を兼ねる制御部１７に送られる。
制御部１７は測光データに関し、露出演算部１２によりＬＶ値を算出する。制御部１７は算出されたＬＶ値に基づき電子ビューファインダ２０に被写体像を表示させるため所定の露出制御特性にしたがつてシャッタ速度と絞り値を求める。
【００１０】
制御部１７は、絞り値に基づき絞りモータ制御部１４を制御し、絞り駆動モータ１５を駆動して絞り３を設定する。また、決定されたシャッタ速度に基づきタイミングジエネレータ１３を駆動する。そしてタイミングジェネレータ１３により、決定されたシャッタ速度対応のタイミング信号をＣＣＤ４に送出し、ＣＣＤ４より転送される画像データは所定の形式に処理されＶＥＮＣモジュール１９を介して電子ビューファインダ２０に露出制御特性に基づく表示を行う。
ＶＥＮＣモジュール１９は信号処理部９で処理された画像データを表示データに変換するものである。このＶＥＮＣモジュールは画像を電子ビューファインダ２０対応の表示データ形式に変換するとともに例えば画面上に、残り何枚かなどのデータを表示する場合にも該データを表示データに変換する機能を持つ。また、ＮＴＳＣ信号に変換したり、他の信号形式に変換したりする機能などを有し、例えばビデオ画面に表示することが必要な場合にはビデオ出力に変換できる。さらに電子ビューファインダの種類によってもその種類に対応した形式に変換することができる。
【００１１】
露出補正設定手段２２（各種設定ＳＷ２３の露出補正設定機能部）により露出値が補正された場合、制御部１７は、露出値の目標値を算出し、目標値に対する現在の露出値の差分を演算し、ＶＦ用の露出演算を行ってシャッタ速度と絞り値を求める。この動作はレリーズ１８がＯＮになるまで繰り返される。この繰り返し動作中にＡＥＬ  ＳＷ２１によりＡＥロックが掛けられた場合、制御部１７は、ＡＥＬ処理を行い、このときの露出補正値を保存し、ＣＣＤ４の蓄積，転送処理を行い、ＡＥロック後に露出補正が行われた場合、露出補正を加味しＶＦ用露出演算を行ってシャッタ速度および絞りを求める。このＡＥロック状態でも、レリーズ１８がＯＮになるまで上記動作が繰り返される。
レリーズＳＷ１８がＯＮすれば、最新のＶＦ露出値を記録用の露出値として撮影動作に移行する。
【００１２】
図３は、ＶＦ時の露出制御特性を示す図、図４は、撮影時の露出制御特性を示す図である。この例は２つの絞り値、Ｆ２．８とＦ８のいずれかに設定される例である。
ビューファインダの露出制御特性は、ＬＶ１３までは絞り値がＦ２．８に設定され、シッャタ速度が１／２０００秒まで変化する。また、ＬＶ１１以上では絞りがＦ８で、シャッタ速度が１／３０秒〜１／２０００秒まで変化する。ＬＶ１１〜ＬＶ１３においてＬＶ値が大きくなったり，小さくなったりする場合、Ｆ８からＦ２．８になった直後に、僅かにＬＶ値が大きくなっただけで直ぐにＦ８に戻らないように、またＦ２．８からＦ８になった直後に、僅かにＬＶ値が小さくなっただけで直ぐにＦ２．８に戻らないようにヒステリシス特性を持たせている。
撮影時（記録時）の露出制御特性は、ＬＶ１２までは絞り値がＦ２．８に設定され、シッャタ速度が１／５００秒まで変化する。そして、ＬＶ１２〜ＬＶ１７までは絞りがＦ８で、シャッタ速度が１／６０秒〜１／２０００秒まで変化する。
【００１３】
図５は、本発明の具体的な動作例を説明するための図である。
図５（ａ）は後述する図６のステップ（以下「Ｓ」という）００１〜Ｓ０２０までの動作の概要を説明するもので、ＶＦ表示からＡＥロックし、レリーズオンして撮影動作に移行するものである。
例えばＡＥロック時の露光条件が、絞り値２．８で，シャッタ速度が１／１２５秒とし、ＡＥロック後に露出補正値＋０．５ＥＶが設定されたとする。ＡＥロック時の露出補正値は０ＥＶであり、その後に＋０．５ＥＶとなったので、その差分は＋０．５ＥＶであり、撮影時の露光条件は差分Δ０．５ＥＶを加味してシャッタ速度は１／１２５秒から１／６０秒に変更され、撮影されることとなる。
【００１４】
図５（ｂ）は同じく後述する図６のＳ００８〜Ｓ０１６までの動作の概要を説明するもので、ＶＦ表示からＡＥロックされた後の動作を示すものである。
ＡＥロック時の露光条件が露出補正値が＋０．５で、シャッタ速度が１／６０秒，絞り２．８とすると、露出値の変更がないかぎりＶＦ表示は上記露出条件で繰り返される。例えば、露出補正値が−０．５に設定されたとすると、差分は−１．０となるため、シャッタ速度は１／６０秒から１／１２５秒に設定され、ＶＦ表示が行われる。
【００１５】
図６は、本発明による露出制御システムの動作を説明するためのフローチャートである。
ディジタルカメラのパワーオンなどの所定操作により、システムが起動され、初期測光が行われる（Ｓ００１）。
被写体からの光１はＣＣＤ４に撮像され、タイミングジェネレータ１３の制御の下に電荷の蓄積制御が行われる（Ｓ００２）。１垂直走査期間で１画面が走査され、電荷の蓄積が行われる。つぎに蓄積されたデータは相関２重サンプリング回路５によりサンプリングされ、ＡＭＰ６により増幅され、信号処理部９で所定の処理がなされた後、ＳＤＲＡＭ１０に一時保存される（Ｓ００３）。このデータ転送は１垂直走査期間で行われる。さらに読み出された測光データが抽出されデータバッファに蓄積される。このバッファリング動作も１垂直走査期間が当てられる。
【００１６】
以下のステップにおける目標値演算，差分演算，ＶＦ用露出演算，各判断および記録露出演算は制御部１７により行われる。
Ｓ００４では、露出補正設定手段２２により露出値が補正された場合にはＥＸＰ ＶＦは目標値になるように演算が行なわれる。表１にその場合の演算内容、すなわち露出補正値設定値（ＥＶ），ＥＸＰ ＶＦおよび目標値の関係を表す数値例を示す。
【表１】
2004153535.tif 000003
ＥＸＰ ＶＦの値は、露出補正値の数値に対し、１０倍を掛けた値で示してあり、目標値の数値は補正なしをＡとし、この値Ａに露出補正値が＋１．０ＥＶ増加するごとに２倍の数値を掛け、１．０ＥＶ減少するごとに０．５倍の数値を掛けて表したものである。
例えば、露出補正がない（±０ＥＶ）場合には、ＥＸＰ ＶＦは０であり、目標値は１．００Ａである。また、露出補正が＋１．０ＥＶの場合には、ＥＸＰＶＦは＋１０であり、目標値は２．００Ａである。
【００１７】
ついで、測光値と目標値との差分ΔＳＨＴ ＡＤＲＳを演算する（Ｓ００５）。表２に測光値に対するΔＳＨＴ ＡＤＲＳの対応が示されている。
【表２】
2004153535.tif 000004
例えば、測光値が１．００Ａであれば、表２の左欄の最下行に示すようにΔＳＨＴ ＡＤＲＳは０であるから、目標値と測光値は同じである。また、測光値が０．５Ａの場合には左欄の１１行に示すようにΔＳＨＴ ＡＤＲＳは−１０となる。これは差分が１段だけマイナスであることを示す。
この表２で求めたΔＳＨＴ ＡＤＲＳから式（１）を用いてＶＦ時の露出値との差を算出することにより目標値をシフトすることができる。
ΔＳＨＴ ＡＤＲＳ＝ΔＳＨＴ ＡＤＲＳ−ＥＸＰ ＶＦ  ・・・（１）
【００１８】
つぎにＶＦ用の露出演算を行い、ＶＦ用のシャッタ速度ＶＦ ＳＨＴ ＡＤＲＳと絞りＶＦ ＩＲＩＳを求める（Ｓ００６）。
まず、式（２）を用いて前回のシャッタアドレスＶＦ ＳＨＴ ＡＤＲＳとＳ００５で求めたΔＳＨＴ ＡＤＲＳから現在のシャッタアドレスＶＦ ＳＨＴＡＤＲＳ００を求める。
ＶＦ ＳＨＴ ＡＤＲＳ００
＝ＶＦ ＳＨＴ ＡＤＲＳ ｎ−１＋ΔＳＨＴ ＡＤＲＳ・・・（２）
ただし、ＶＦ ＳＨＴ ＡＤＲＳ ｎ−１：前回のＶＦ ＳＨＴ ＡＤＲＳ
このように求めたＶＦ ＳＨＴ ＡＤＲＳ００から表３（ａ）に従って次回の露光シャッタアドレス（ＶＦ ＳＨＴ ＡＤＲＳ）と絞り値（ＶＦ ＩＲＩＳ）を求める。
【００１９】
【表３】
2004153535.tif 000005
【００２０】
この表３（ａ）は２つの絞り値Ｆ２．８とＦ８を用いる例である。ＶＦ ＳＨＴ ＡＤＲＳ００がどの条件に合致するかによって処理が行われる。
例えば前回の絞りがＦ２．８で、ＶＦ ＳＨＴ ＡＤＲＳ００が１３０（１／１０００秒）であるとすると、図３を参照するとＦ８で、シャッタアドレスはＶＦ ＳＨＴ ＡＤＲＳ＝ＶＦ ＳＨＴ ＡＤＲＳ００−３０より１３０−３０となって１００となる。これは表３（ｂ）より１／１２５秒となる。上記−３０とういう数値は図４に示すようにＦ２．８からＦ８になったとき、シャッタ速度が３段階遅くなるために付加したものである。
また、表３（ａ）の処理の欄でＶＦ ＳＨＴ ＡＤＲＳ＝ＶＦ ＳＨＴ ＡＤＲＳ００＋３０の＋３０という数値は同様にＦ８からＦ２．８になったときシャッタ速度が３段階速くなるために付加したものである。
【００２１】
このようにＶＦ時のシャッタ速度と絞りを求めた後は、ＡＥＬ  ＳＷ２１が操作されてロック状態になっているか否かを判定する（Ｓ００７）。ロック状態になっていない場合にはつぎにレリーズＯＮか否かを判定する（Ｓ０１７）。いまだレリーズされていない場合にはＳ００２に戻り上記の動作を繰り返す。
このように制御部１７によりＶＦ用の露出演算が行われて絞りとシャッタ速度が決定され、このときの露出演算結果が電子ビューファインダ２０の表示に反映される。
一方、レリーズＯＮの場合には撮影動作に移行し、Ｓ０１８の記録露出演算に移行する。
【００２２】
上記Ｓ００７において、ＡＥＬ  ＳＷ２１がロックＯＮの場合には、ＡＥＬ処理を施す。ＡＥＬでのシャッタアドレスおよび絞りはＶＦ時のシャッタアドレスおよび絞りとなる（Ｓ００８）。
Ｓ００９において、ＥＸＰ０＝ＥＸＰ ＶＦ，ＥＸＰ１＝ＥＸＰ ＶＦは現在のＶＦの露出値を示すもので、このステップではＥＸＰ０，ＥＸＰ１として別々に同じデータを２つ保存する。つぎに蓄積，転送処理を行い（Ｓ０１０，Ｓ０１１）を行い、Ｓ０１２において、露出補正値を加味する処理を行う。式（３）にその処理の内容を示す。
ΔＳＨＴ ＡＤＲＳ＝ＥＸＰ ＶＦ−ＥＸＰ０  ・・・（３）
式（３）において、ＥＸＰ ＶＦは露出補正した場合には、その露出補正したＥＸＰ ＶＦの値である。したがって、ΔＳＨＴ ＡＤＲＳは露出補正した場合にはそのＥＸＰ ＶＦから上記保存されたＥＸＰ０を引いた値の差分のシャッタ速度を示す数値（表２のΔＳＨＴ ＡＤＲＳの値）が算出される。
【００２３】
つぎにＳ０１３では、算出されたΔＳＨＴ ＡＤＲＳよりＶＦ ＳＨＴ ＡＤＲＳとＶＦ ＩＲＩＳが演算される。
例えばＡＥロック時にＦ２．８でシャッタ速度１／６０であるとし、露出補正が＋１．０なされたすると、表１より目標値は２．００Ａであり、表２よりΔＳＨＴ ＡＤＲＳは、＋１０となる。式（２）と表３（ｂ）よりＶＦ ＳＨＴ ＡＤＲＳ００は１００となる。表３（ａ）で上記１００の条件に対応する処理はＶＦ ＳＨＴ ＡＤＲＳ＝ＶＦ ＳＨＴ ＡＤＲＳ００であり、前回のシャッタ速度と変わらない。このＥＸＰ ＶＦは露出補正値のＥＸＰ０として保存される（Ｓ０１４）。
【００２４】
ついで、レリーズがＯＮしたか否かを判定する（Ｓ０１５）。レリーズがＯＮしていない場合はＳ０１０〜Ｓ０１４を繰り返すこととなる。レリーズがＯＮした場合には式（４）の処理を行って最新のＶＦ時のシャッタ速度を算出する。
ＶＦ ＳＨＴ ＡＤＲＳ＝ＶＦ ＳＨＴ ＡＤＲＳ−（ＥＸＰ ＶＦ−ＥＸＰ１）            ・・・（４）
最新のＶＦ時のシャッタ速度は、前回Ｓ０１０〜Ｓ０１３で算出したＥＸＰ
ＶＦとＡＥロック時に保存した値（ＥＸＰ１）との差分のシャッタ速度を、ＡＥロックときのシャッタ速度から引いた値となる。
【００２５】
このようにＳ０１７またはＳ０１５でレリーズＯＮした場合にはつぎに記録露出演算が行われる（Ｓ０１８）。
記録露出演算は、レリーズＯＮされたタイミングのＶＦ ＳＨＴ ＡＤＲＳとＶＦ ＩＲＩＳから表４（ａ）よりＲＥＣ ＳＨＴ ＡＤＲＳ００が算出される。
【表４】
2004153535.tif 000006
【００２６】
表４（ａ）はＦ２．８かＦ８のいずれかに設定される場合であるので、ＶＦ
ＩＲＩＳがＦ２．８の場合にはＲＥＣ ＳＨＴ ＡＤＲＳ００はＶＦ ＳＨＴ
ＡＤＲＳとなる。Ｆ８の場合にはＶＦ ＳＨＴ ＡＤＲＳに３ステップ分シャッタ速度を速くする。
そして、表４（ｂ）においてＲＥＣ ＳＨＴ ＡＤＲＳ００の条件により、Ｆ２．８かＦ８が選択され、ＲＥＣ ＳＨＴ ＡＤＲＳが決定される。Ｆ２．８の場合には、ＲＥＣ ＳＨＴ ＡＤＲＳ００がそのまま記録時のシャッタ速度となる。Ｆ８の場合にはＲＥＣ ＳＨＴ ＡＤＲＳ００から３０を引いた値が記録時のシャッタ速度となる。
【００２７】
制御部１７は上記演算結果に基づき絞りモータ制御部１４，絞り駆動モータ１５を制御して絞り３を駆動する。そして、タイミングジェネレータ１３から算出したシャッタ速度対応のタイミング信号をＣＣＤ４に送り、被写体像を蓄積し記録制御を行う（Ｓ０２０）。記録制御が終了すると、Ｓ００１の初期測光に戻る。
以上の実施の形態は露出補正設定値として０．５ＥＶステップで変える場合を示したが、他のステップで変える場合も同様に適用できる。例えば、０．２５ＥＶや０．５ＥＶ，１．０ＥＶなどのステップである。また、露光条件としてシャッタ速度と絞りを変える例について説明したが、露光条件はシャッタ速度，絞りに加えて増幅度を増減させてもよい。
【００２８】
【発明の効果】
以上、説明したように従来はフィードバック制御方式による露出制御システムを備えたディジタルカメラではＡＥロック後は露出補正することを禁止するか、またはＡＥロックを解除した後に露出補正を可能とし再度ＡＥロックを掛けなければならなかったが、本発明によれば、ＡＥＬをかけた状態でも露出補正設定が可能であり、この露出補正設定をＡＥロックされたＶＦ表示に反映させることができ、露出補正に関する使い勝手を向上させることができる。
【図面の簡単な説明】
【図１】本発明による露出制御システムを適用したディジタルカメラの外観を示す斜視図である。
【図２】本発明による露出制御システムの回路の実施の形態を示すブロック図である。
【図３】ＶＦ時の露出制御特性を示す図である。
【図４】撮影時の露出制御特性を示す図である。
【図５】本発明の具体的な動作例を説明するための図である。
【図６】本発明による露出制御システムの動作を説明するためのフローチャートである。
【符号の説明】
１  被写体光
２  レンズ
３  絞り
４  ＣＣＤ（固体撮像素子）
５  ＣＤＳ（相関２重サンプリング回路）
６  ＡＭＰ（増幅器）
７  クランプ回路
８  ＡＤ変換器
９  信号処理部
１０  ＳＤＲＡＭ（メモリ）
１１  測光データ
１２  露出演算部
１３  タイミングジェネレータ
１４  絞りモータ制御部
１５  絞り駆動モータ
１７  制御部
１８  レリーズＳＷ
１９  ＶＥＮＣモジュール（メモリデータを表示データに変換するモジュール）
２０  ＶＦ（電子ビューファインダ）
２１  ＡＥＬ  ＳＷ（ＡＥロックボタン）
２２  露出補正設定手段
【図１】
2004153535.tif 000007
【図２】
2004153535.tif 000008
【図３】
2004153535.tif 000009
【図４】
2004153535.tif 000010
【図５】
2004153535.tif 000011
【図６】
2004153535.tif 000012